(57)【要約】  【課題】  帽子に関する発明であり、季節や出掛ける場所、出会う相手によってほんの少しだけ雰囲気を変えたいという要求に応える。本発明は、使用者が好みによって装飾を付加したり、装飾を変更することができる帽子の提供を課題とする。  【解決手段】  帽子１は、全周に鍔部３が設けられている。鍔部３に孔５が設けられている。孔５は、装飾品７を着脱自在に吊り下げるためのものであり、補強金具６によって補強されている。装飾品７は、飾り部１５と、当該飾り部１５を吊り下げる金属細線１６によって構成されている。装飾品７は、帽子１に吊り下げられ、風や振動によって飾り部１５が揺れ、見るものに爽快感を与える。【選択図】  図１
2006233373.tif 000002
【特許請求の範囲】
【請求項１】
頭部に装着される頭部装着部と鍔部を有し、鍔部に装飾物を取り付けるための孔が設けられ、当該孔には補強部材が装着されていることを特徴とする帽子。
【請求項２】
補強部材は金具であり、当該金具は鍔部の表面又は裏面のいずれか一方に円板部を有することを特徴とする請求項１に記載の帽子。
【請求項３】
頭部に装着される頭部装着部と鍔部を有し、鍔部に装飾物を取り付けるための孔が設けられ、当該孔には補強がなされていることを特徴とする帽子。
【請求項４】
孔に装飾物が着脱可能に取り付けられていることを特徴とする請求項１乃至３のいずれかに記載の帽子。
【請求項５】
装飾品は、鍔部に吊り下げられるものであることを特徴とする請求項４に記載の帽子。
【請求項６】
装飾品は、飾り部と、当該飾り部を吊り下げる線部材を備え、線部材は端部が開放されていると共に折り曲げ部又は曲部を有し、装飾品は、線部材を端部から孔に装入し、線部材の折り曲げ部又は曲部を孔に係合させて取り付けられていることを特徴とする請求項５に記載の帽子。
【請求項７】
装飾品は、鍔部上に乗せるものであることを特徴とする請求項４に記載の帽子。
【発明の詳細な説明】
【技術分野】
【０００１】
本発明は、野球帽、登山帽、カウボーイハット、麦わら帽子等の帽子に関するものである。
【背景技術】
【０００２】
帽子は、頭部に装着する身装品として古くから活用されている。帽子は、直射日光の遮断や、防寒といった頭部や顔面の保護が本来の機能であるが、装飾品としての機能も高い。
すなわち帽子は、お洒落の道具として活用されることが多い。
【０００３】
帽子は、前記した様にお洒落の道具としての需要が高いので、デザインや色彩、装飾の優劣によって商品品質が大きく左右される。
そのため帽子には極めて多数のデザインがあり、各種の装飾が施されている。
【特許文献１】実開平２−１４９７１６号公報
【特許文献２】特開２００４−９２００４号公報
【発明の開示】
【発明が解決しようとする課題】
【０００４】
帽子には、前記した様に多数のデザインがあり、さらに各種の装飾が施されるが、従来技術の帽子においては、装飾は固定的である。即ち、帽子の装飾は、工場から出荷する際に完成しており、これを変更することはできない。また使用者が好みによって新たな装飾を付加することもできない。
前記した様に、帽子はお洒落の道具であるから、使用者は、季節や出掛ける場所、出会う相手によって使用する帽子を変更したいと考えるものである。
しかしながら季節や場所に応じた帽子を買いそろえるのは経済的な負担が大きい。
また経済的に余裕がある者であっても、特に気に入った帽子があり、どこの場所に行くときでもその帽子を着用するという人も多い。
この様な人についても、季節や出掛ける場所、出会う相手によってほんの少しだけ雰囲気を変えたいという要求がある。
【０００５】
そこで本発明は、従来技術の上記した問題点に注目し、使用者が好みによって装飾を付加したり、装飾を変更することができる帽子の提供を課題とするものである。
【課題を解決するための手段】
【０００６】
そして上記した課題を解決するための請求項１に記載の発明は、頭部に装着される頭部装着部と鍔部を有し、鍔部に装飾物を取り付けるための孔が設けられ、当該孔には補強部材が装着されていることを特徴とする帽子である。
【０００７】
本発明の帽子は、装飾物を取り付ける孔が設けられているから、使用者の好みや使用時の雰囲気に応じて選択された装飾物を取り付けることができる。また孔には補強部材が装着されているので、長期の使用に耐える。
【０００８】
請求項２に記載の発明は、補強部材は金具であり、当該金具は鍔部の表面又は裏面のいずれか一方に円板部を有することを特徴とする請求項１に記載の帽子である。なお、補強部材の円板部は表面及び裏面の両方にあってもよい。
【０００９】
本発明で採用する補強部材は金具であり、孔を保護する円板部を有する。そのため孔を補強する機能が高い。
【００１０】
請求項３に記載の発明は、頭部に装着される頭部装着部と鍔部を有し、鍔部に装飾物を取り付けるための孔が設けられ、当該孔には補強がなされていることを特徴とする帽子である。
【００１１】
本発明の帽子についても装飾物を取り付ける孔が設けられているから、使用者の好みや使用時の雰囲気に応じて選択された装飾物を取り付けることができる。また孔には補強がなされているので、長期の使用に耐える。
【００１２】
請求項４に記載の発明は、孔に装飾物が着脱可能に取り付けられていることを特徴とする請求項１乃至３のいずれかに記載の帽子である。
【００１３】
本発明の帽子は、装飾物が着脱自在に取り付けられているから、使用者の好みや使用時の雰囲気に応じて選択された装飾物を取り換えることができる。
【００１４】
請求項５に記載の発明は、装飾品は、鍔部に吊り下げられるものであることを特徴とする請求項４に記載の帽子である。
【００１５】
本発明の帽子は、装飾品が鍔部に吊り下げられているから、デザインが斬新である。
【００１６】
請求項６に記載の発明は、装飾品は、飾り部と、当該飾り部を吊り下げる線部材を備え、線部材は端部が開放されていると共に折り曲げ部又は曲部を有し、装飾品は、線部材を端部から孔に装入し、線部材の折り曲げ部又は曲部を孔に係合させて取り付けられていることを特徴とする請求項５に記載の帽子である。
【００１７】
本発明の帽子では、線部材によって装飾品が取り付けられているので、飾り部が揺れる。そのため見る人に明るい印象を与える。
【００１８】
また装飾品は、鍔部上に乗せるものであってもよい（請求項７）。
【発明の効果】
【００１９】
本発明の帽子は、使用者が好みによって装飾を付加したり、装飾を変更することができるので使い勝手がよく、お洒落感覚を他人にアピールすることができる効果がある。
【発明を実施するための最良の形態】
【００２０】
以下さらに本発明の実施形態について説明する。
図１は、本発明の実施形態の帽子の斜視図であり、装飾品を装着した状態を示す。図２は、本発明の実施形態の帽子の斜視図であり、装飾品を外した状態を示す。
【００２１】
本実施形態の帽子１は、婦人用の帽子であり、使用者の頭部を覆う頭部装着部２を有し、その開口部の全周に鍔部３が設けられている。
そして鍔部３に孔５が設けられている。孔５は、装飾品７を着脱自在に吊り下げるためのものであり、補強金具６によって補強されている。
【００２２】
図３は、図１に示す帽子の孔部の拡大斜視図である。図４は、図１に示す帽子の孔部の拡大断面斜視図である。図５は、図１に示す帽子で使用する補強金具の斜視図及び断面斜視図である。
【００２３】
補強金具６は、いわゆる鳩目であり、図５（ａ）に示すように円板部１０と筒部１１を持つ。円板部１０の中心部には開口があり、当該開口１２は、筒部１１に連通している。
補強金具６は、帽子１の孔５に装入され、筒部１１の端部をかしめて帽子１の孔５に装着されている。
従って帽子１の孔５は、その上面側に補強金具６の円板部１０があり、孔５の内部壁面は筒部１１によって補強されている。
なお、図５（ｃ）に示すように円板部４０と短い筒部４１からなる金具４２を、もう一つの円板金具４３にかしめる補強金具４６を用いる場合もある。
【００２４】
図６は、本実施形態の帽子に取り付ける装飾品の斜視図及び当該装飾品を取り付けた状態の帽子の部分拡大斜視図である。図７は帽子に取り付ける装飾品の他の実施形態を示す斜視図及び当該装飾品を取り付けた状態の帽子の部分拡大斜視図である。
本実施形態で採用する装飾品７は、ガラスや樹脂、金属等の公知の素材で作られた飾り部１５と、当該飾り部１５を吊り下げる金属細線１６によって構成されている。
金属細線１６は、ピアスの金属細線１６と同様の形状をしており、大きな曲部１７を有する。そして金属細線１６の一端側には飾り部１５が取り付けられ、他方の端部は開放されている。
【００２５】
本実施形態で採用する装飾品７は、金属細線１６を開放端から孔５に装入し、金属細線１６の曲部１７を孔１５に係合させて取り付けられている。
そのため装飾品７は、帽子１の鍔部３に対して着脱自在である。また装飾品７は、帽子１に吊り下げられた状態であり、風や振動によって飾り部１５が揺れ、見るものに爽快感を与える。
【００２６】
装飾品の構造は、上記した実施形態に限定されるものではなく、図７に示す装飾品１８のような環状の細紐２０によって飾り部１５を保持するものであってもよい。
【００２７】
また金属細線１６や細紐２０による取付構造は、いずれも装飾品７，１８を吊り下げ状に取り付けるものであるが、装飾品を帽子１の鍔部３上に乗せるものであってもよい。
図８は帽子に取り付ける装飾品の他の実施形態を示す斜視図及び当該装飾品を取り付けた状態の帽子の部分拡大斜視図である。図９は、図８の帽子の拡大断面図である。
【００２８】
図８に示す帽子２３では、装飾品２５は、飾り部２７の下部にネジ軸２６を持ち、当該ネジ軸２６にナット部材２８が嵌合される。
即ち図９に示す様に、帽子２３の上面側に飾り部２７が位置し、孔５にネジ軸２６が挿通され、鍔部３の下部においてネジ軸２６にナット部材２８が嵌合されている。
【００２９】
以上説明した実施形態では、帽子１は女性用の帽子を例示したが、男性用、女性用にかかわらず広く帽子に実施されるものであり、また帽子の形状やデザインに何らの限定もない。例えば図１０（ａ）の様な野球帽、同（ｂ）に示す登山帽、同（ｃ）の様なカウボーイハット、同（ｄ）の様な麦わら帽子にも本発明を適用することができる。
これら帽子に取り付ける装飾品は、先に掲げた形状のものの他に、図１０（ｃ）にあるようにリング状のものとしてもよいし、同（ｄ）に示すようにリングの先に飾り（チャーム）を取り付けてもよい。
また上記した実施形態では、鍔部３に一個だけ孔５を設けたが孔５の数は任意である。また先の実施形態では、孔５を補強するために鳩目を活用したが、図１１に示す様な糸３０による孔かがり３１によって孔５を補強してもよい。
【図面の簡単な説明】
【００３０】
【図１】本発明の実施形態の帽子の斜視図であり、装飾品を装着した状態を示す。
【図２】本発明の実施形態の帽子の斜視図であり、装飾品を外した状態を示す。
【図３】図１に示す帽子の孔部の拡大斜視図である。
【図４】図１に示す帽子の孔部の拡大断面斜視図である。
【図５】図１に示す帽子で使用する補強金具の斜視図及び断面斜視図である。
【図６】本実施形態の帽子に取り付ける装飾品の斜視図及び当該装飾品を取り付けた状態の帽子の部分拡大斜視図である。
【図７】帽子に取り付ける装飾品の他の実施形態を示す斜視図及び当該装飾品を取り付けた状態の帽子の部分拡大斜視図である。
【図８】帽子に取り付ける装飾品の他の実施形態を示す斜視図及び当該装飾品を取り付けた状態の帽子の部分拡大斜視図である。
【図９】図８の帽子の拡大断面図である。
【図１０】本発明の他の実施形態の帽子の斜視図である。
【図１１】本発明の他の実施形態の帽子の孔部の拡大斜視図である。
【符号の説明】
【００３１】
１，２３  帽子
３  鍔部
５  孔
６  補強金具
７，１８，２５  装飾品
１０  円板部
１１  筒部
１５  飾り部
１６  金属細線
１７  曲部
２０  細紐
３１  孔かがり
【図１】
2006233373.tif 000003
【図２】
2006233373.tif 000004
【図３】
2006233373.tif 000005
【図４】
2006233373.tif 000006
【図５】
2006233373.tif 000007
【図６】
2006233373.tif 000008
【図７】
2006233373.tif 000009
【図８】
2006233373.tif 000010
【図９】
2006233373.tif 000011
【図１０】
2006233373.tif 000012
【図１１】
2006233373.tif 000013